(57)【要約】【課題】  入射された光を多点に分割して出射する多点分割用光学装置において、小型で且つ部品点数が少なく、耐振動性に優れた構成を実現する。【解決手段】  入射されたレーザ光Ｒを多点に分割して出射する多点分割用光学装置１００において、レーザ光Ｒの入射側に位置する第１のレンズ部１０と出射側に位置する第２のレンズ部２０とからなり、レーザ光Ｒは、第１のレンズ部１０から入射され第２のレンズ部２０を通過して出射されるようになっており、第１のレンズ部は、入射面１１の数がレーザ光Ｒの分割数と等しいコーナキューブプリズム１０として構成されており、コーナキューブプリズム１０にレーザ光Ｒを入射したとき、コーナキューブプリズム１０から出射されるレーザ光Ｒが多点に分割されて、第２のレンズ部２０から出射されるようになっている。【選択図】        図１
2006317831.tif 000002
【特許請求の範囲】
【請求項１】
入射された光を多点に分割して出射する多点分割用光学装置において、
前記光の入射側に位置する第１のレンズ部（１０）と出射側に位置する第２のレンズ部（２０）とからなり、
前記光は、前記第１のレンズ部（１０）から入射され前記第２のレンズ部（２０）を通過して出射されるようになっており、
前記第１のレンズ部は、入射面（１１）の数が前記光の分割数と等しいコーナキューブプリズム（１０）として構成されており、
前記コーナキューブプリズム（１０）に前記光を入射したとき、前記コーナキューブプリズム（１０）から出射される前記光が多点に分割されて、前記第２のレンズ部（２０）から出射されるようになっていることを特徴とする多点分割用光学装置。
【請求項２】
前記第２のレンズ部（２０）は、入射面（２１）と出射面（２２）がともに凸面形状であるドラムレンズとして構成されていることを特徴とする請求項１に記載の多点分割用光学装置。
【請求項３】
前記第２のレンズ部（２０）は、入射面（２１）が凸面形状で、出射面（２２）が凹面形状である凹凸レンズとして構成されていることを特徴とする請求項１に記載の多点分割用光学装置。
【請求項４】
前記第１のレンズ部（１０）と前記第２のレンズ部（２０）とは一体に成形されたものであることを特徴とする請求項１に記載の多点分割用光学装置。
【請求項５】
前記第２のレンズ部（２０）は、光路上にて離間して直列に配置された２個のレンズ（２０ａ、２０ｂ）からなることを特徴とする請求項１ないし４のいずれか１つに記載の多点分割用光学装置。
【請求項６】
前記光はレーザ光であり、前記多点に分割されて前記第２のレンズ部（２０）から出射される前記レーザ光は、エンジンの燃焼室へ導かれて点火を行うために用いられることを特徴とする請求項１ないし５のいずれか１つに記載の多点分割用光学装置。
【発明の詳細な説明】
【技術分野】
【０００１】
本発明は、入射された光を多点に分割して出射する多点分割用光学装置に関し、特に、エンジンに取り付けられてレーザ光による点火を行うレーザ点火装置における光学系に用いて好適である。
【背景技術】
【０００２】
従来より、この種の多点分割用光学装置としては、エンジンに取り付けられてレーザ光による点火を行うレーザ点火装置における光学系が提案されている（たとえば、特許文献１参照）。
【０００３】
この光学系は、上記レーザ点火装置において、レーザ発振器から発振されるレーザ光を入射し、当該光学系にて多点に分割し、これら分割されたレーザ光をエンジンの燃焼室に導くものである。それによって、燃焼室にてレーザ光による混合気の着火が行われ、エンジンの点火がなされる。
【特許文献１】特開平１−１９３０８１号公報
【発明の開示】
【発明が解決しようとする課題】
【０００４】
しかしながら、従来では、１つの光源からの光を多点に分割して集光するためには複数のビームスプリッターやハーフミラー、集光用レンズが必要であり、以下のような問題があった。
【０００５】
（１）光学装置を構成する部品点数が多く、それぞれの部品に対して保持を行う保持具も必要である。
【０００６】
（２）分割したい光の数が増えるとそれによって部品点数も増え、どんどん構成が複雑化してしまう。
【０００７】
（３）構成部品ごとに、傾きや部品間の距離等を調整する必要があり、その調整に時間を要する。
【０００８】
（４）部品間に、ある程度の距離が必要であるため、光学装置が全体として大型になり、スペースを要する。
【０００９】
（５）基台に多数の部品を置いて、それらを調整・固定しなければならないので、振動に弱い。
【００１０】
（６）場合によっては光源を複数用意しなければならず、高出力は得られるが、スペース・コストの面でマイナス要因となる。
【００１１】
上記（１）〜（６）のような問題により、従来の多点分割用光学装置は、大型でスペースを要し、また、耐振動性が不十分であるため、たとえば、振動の激しいエンジンへの搭載は困難であった。
【００１２】
本発明は、上記問題に鑑みてなされたものであり、入射された光を多点に分割して出射する多点分割用光学装置において、小型で且つ部品点数が少なく、耐振動性に優れた構成を実現することを目的とする。
【課題を解決するための手段】
【００１３】
上記した目的を達成するため、請求項１に記載の発明によれば、入射された光を多点に分割して出射する多点分割用光学装置において、光の入射側に位置する第１のレンズ部（１０）と出射側に位置する第２のレンズ部（２０）とからなり、前記光は、第１のレンズ部（１０）から入射され第２のレンズ部（２０）を通過して出射されるようになっており、第１のレンズ部は、入射面（１１）の数が前記光の分割数と等しいコーナキューブプリズム（１０）として構成されており、コーナキューブプリズム（１０）に前記光を入射したとき、コーナキューブプリズム（１０）から出射される前記光が多点に分割されて、第２のレンズ部（２０）から出射されるようになっていることを特徴としている。
【００１４】
それによれば、第１のレンズ部（１０）によって、入射された光は多点に分割され、多点に分割された光として第２のレンズ部（２０）から出射される。そのため、これら２つのレンズ部（１０、２０）があれば、分割したい数が変わっても部品数に変化はなく、装置は十分に機能し、装置の構成部品は最低２個で済む。
【００１５】
そのため、本光学装置は、小型で省スペースなものとなり、構成部品間の間隔や傾きを調整する必要は、極力省くことができ、また、構成部品を固定する治具も極力少ないものにでき、耐振動性に優れたものにできる。
【００１６】
このように、本発明によれば、入射された光を多点に分割して出射する多点分割用光学装置において、小型で且つ部品点数が少なく、耐振動性に優れた構成を実現することができる。
【００１７】
ここで、請求項２に記載の発明のように、請求項１に記載の多点分割用光学装置においては、第２のレンズ部（２０）は、入射面（２１）と出射面（２２）がともに凸面形状であるドラムレンズとして構成されているものにできる。
【００１８】
また、請求項３に記載の発明のように、請求項１に記載の多点分割用光学装置においては、第２のレンズ部（２０）は、入射面（２１）が凸面形状で、出射面（２２）が凹面形状である凹凸レンズとして構成されているものにできる。
【００１９】
また、請求項４に記載の発明のように、請求項１に記載の多点分割用光学装置においては、第１のレンズ部（１０）と第２のレンズ部（２０）とは一体に成形されたものであってもよい。
【００２０】
それによれば、より部品点数を少なくすることができ、より小型で耐振動性に優れた構成とすることができる。
【００２１】
また、請求項５に記載の発明では、請求項１〜請求項４に記載の多点分割用光学装置において、第２のレンズ部（２０）は、光路上にて離間して直列に配置された２個のレンズ（２０ａ、２０ｂ）からなることを特徴としている。
【００２２】
それによれば、第２のレンズ部（２０）を構成する２個のレンズ（２０ａ、２０ｂ）の間隔を調整することにより、出射される光の焦点距離（Ｌ）を可変とすることができ、好ましい。
【００２３】
また、請求項６に記載の発明では、請求項１〜請求項５に記載の多点分割用光学装置において、前記光はレーザ光であり、前記多点に分割されて第２のレンズ部（２０）から出射される前記レーザ光は、エンジンの燃焼室へ導かれて点火を行うために用いられることを特徴としている。
【００２４】
このように、小型で且つ部品点数が少なく耐振動性に優れた構成を有する請求項１〜請求項５に記載の多点分割用光学装置は、エンジンに取り付けられるレーザ点火装置における光学系として用いて、好適である。
【００２５】
なお、上記各手段の括弧内の符号は、後述する実施形態に記載の具体的手段との対応関係を示す一例である。
【発明を実施するための最良の形態】
【００２６】
以下、本発明の実施形態について図に基づいて説明する。なお、以下の各実施形態相互において、互いに同一もしくは均等である部分には、説明の簡略化を図るべく、図中、同一符号を付してある。
【００２７】
以下の各実施形態に示される多点分割用光学装置は、入射される光がレーザ光であり出射されるレーザ光がエンジンの燃焼室へ導かれて点火を行うために用いられるレーザ点火装置における光学系に適用されるが、特に、これに用途限定されるものではない。
【００２８】
（第１実施形態）
図１は、本発明の第１実施形態に係る多点分割用光学装置１００の概略断面図である。また、図２において、（ａ）は図１の矢印Ａ方向から視た図すなわち左側面図、（ｂ）は図１の矢印Ｂ方向から視た図すなわち右側面図、（ｃ）は図１の矢印Ｂ方向から視た出射されたレーザ光Ｒの集光位置すなわち焦点Ｒ１、Ｒ２、Ｒ３を示す図である。
【００２９】
図１に示されるように、本実施形態の多点分割用光学装置１００は、入射されたレーザ光Ｒを多点Ｒ１〜Ｒ３に分割して出射するものであり、大きくは、光の入射側に位置する第１のレンズ部１０と出射側に位置する第２のレンズ部２０とからなり、レーザ光Ｒは、第１のレンズ部１０から入射され第２のレンズ部２０を通過して出射されるようになっている。
【００３０】
このような多点分割用光学装置１００を光学系として有するレーザ点火装置は、たとえば、装置本体を区画するケース内に、レーザ光Ｒを発振するレーザユニットと当該多点分割用光学装置１００とを収納したものである。
【００３１】
ここで、上記レーザユニットとしては、電流の印加により励起光を出射する励起光源、および、この励起光の入射によりレーザ光Ｒを発振する光共振器を備えたものにできる。励起光源は、半導体レーザやフラッシュランプなどからなるもので、光共振器は、たとえば、レーザ媒質と受動Ｑスイッチ素子としての可飽和吸収体とを共振光路上に配置し、その両端部にミラーを配置してなる共振器として構成されたものにできる。
【００３２】
この場合、上記レーザ媒質は、励起されることにより光を放出するものであり、励起光源から出射された励起光が入射することにより、励起されるようになっている。
【００３３】
また、上記可飽和吸収体は、入射する光のパワーが大きいほど吸収が小さいものであり、入射光パワーが吸収飽和閾値以下であるときには入射光を吸収するが、入射光パワーが吸収飽和閾値を超えているときには吸収が飽和して透明となる。可飽和吸収体は、このような性質が利用されて、受動Ｑスイッチ素子として用いられる。
【００３４】
そして、光共振器は、上記可飽和吸収体が透明であるときに上記レーザ媒質より放出された光を共振させるとともに、その光の一部を上記可飽和吸収体より出射するものとなっている。
【００３５】
限定するものではないが、たとえば、上記レーザ媒質はＮｄ：ＹＡＧ結晶であり、上記可飽和吸収体はＣｒ：ＹＡＧ結晶である。この場合、励起光源としては、上記レーザ媒質に含まれるＮｄイオンを上準位に励起し得る波長８０８ｎｍ付近の励起光を出力する半導体レーザ光源が用いられる。
【００３６】
このように、本実施形態に係るレーザ点火装置においては、上記レーザユニットからレーザ光Ｒが発振され、そのレーザ光Ｒが、図１に示される光学系としての多点分割用光学装置１００によって、多点Ｒ１〜Ｒ３に分割されたレーザ光Ｒとして、エンジンの燃焼室へ導かれて点火を行うために用いられる。
【００３７】
そして、本実施形態の多点分割用光学装置１００においては、第１のレンズ部１０は、入射面１１の数がレーザ光Ｒの分割数と等しいコーナキューブプリズム１０として構成されている。なお、このコーナキューブプリズム１０の出射面１２は、本例では平坦面となっている。
【００３８】
また、第２のレンズ部２０は、入射面２１と出射面２２がともに凸面形状である肉厚のドラムレンズ２０として構成されている。ドラムレンズ２０における両凸面２１、２２は非球面形状となっているが、この非球面形状としては、コーナキューブプリズム１０からの出射光線がドラムレンズ２０の入射面２１に垂直に入るように設計されることが好ましい。
【００３９】
なお、これら両レンズ部１０、２０は、透明なガラス若しくは樹脂などにより形成されているが、特にエンジン点火用に用いられる場合、耐熱性に優れた材料であることが好ましい。
【００４０】
そして、これらコーナキューブプリズム１０とドラムレンズ２０においては、前者の出射面１２と後者の入射面２１とが接触するか若しくは近接した状態で対向して配置されており、これら両レンズ部１０、２０は、図示しない上記ケースなどの保持具により保持されている。
【００４１】
このような多点分割用光学装置１００においては、図１に破線で示されるように、コーナキューブプリズム１０にレーザ光Ｒを入射したとき、コーナキューブプリズム１０から出射されるレーザ光Ｒは多点に分割され、ドラムレンズ２０から出射され、各集光位置Ｒ１〜Ｒ３に集光するようになっている。
【００４２】
ここで、コーナキューブプリズム１０は、入射されるレーザ光Ｒを何点に分割するかによって入射面１１の数を変える。多点点火においては、３点での点火がもっとも効率が良いとされており、本例では３点Ｒ１〜Ｒ３の分割例としている。そして、分割して出射されたレーザ光Ｒの３つの焦点（集光位置）Ｒ１〜Ｒ３を結ぶ形状は、これら３点Ｒ１〜Ｒ３を頂点とする三角形となっている（図２（ｃ）参照）。
【００４３】
ここで、図１中のドラムレンズ２０の出射面２２から焦点Ｒ１〜Ｒ３までの距離Ｌ１は、バックフォーカスＬ１である。また、図２（ｃ）には、各焦点Ｒ１〜Ｒ３間の距離であるビーム間距離Ｌ２、および、出射されたレーザ光Ｒの焦点Ｒ１〜Ｒ３でのビームサイズであるスポットサイズＤ２が示されている。
【００４４】
つまり、本例のコーナキューブプリズム１０の入射面１１は、図２（ａ）に示されるように、レーザ光Ｒの入射側からみると頂点１１ａを中心に３つの入射面１１に分割されている。
【００４５】
この場合、コーナキューブプリズム１の頂点１１ａは１点となっていることが望ましく、先が欠けたり、面となっていたりすると、入射面が４つ以上できることになり、４点以上に分割することになる。よって、本例のように、３点Ｒ１〜Ｒ３に分割したい場合は、損失が大きくなってしまう。
【００４６】
なお、コーナキューブプリズム１０の入射面１１の数は、レーザ光Ｒの分割数と等しいものであればよい。図２（ａ）に示される例では、３つの入射面１１の頂角が１２０°であり、各入射面１１が頂点１１ａを中心に均等に分割されているが、分割された各入射面１１は均等なものでなくてもよい。
【００４７】
たとえば、各入射面１１の面積を異なるものにしてもよい。入射面１１の面積を変えることで、出射されるレーザ光のエネルギーを変えることができる。具体的には、入射面１１を広くすれば、出射されるレーザ光のエネルギーを大きくすることができる。
【００４８】
本例において、３点Ｒ１〜Ｒ３に集光されるビームの特性とレンズ系のパラメータとは以下のような関係を持つ。
【００４９】
（１）３点Ｒ１〜Ｒ３のビーム間距離Ｌ２を大きくするには、第１のレンズ部であるコーナキューブプリズム１０のプリズム頂角θ（図１参照）を大きくしたり、第２のレンズ部であるドラムレンズ２０の径Ｄ２（図１参照）を大きくしたり、または、バックフォーカスＬ１を大きくする。
【００５０】
（２）焦点Ｒ１〜Ｒ３でのスポットサイズＤ２を小さくするには、コーナキューブプリズム１０からの出射光線が、ドラムレンズ２０の入射面２１に対して、できるだけ垂直に入射することが望ましい。
【００５１】
（３）３点Ｒ１〜Ｒ３に平等にレーザ光Ｒを分割するには、コーナキューブプリズム１０の３つの入射面１１に平等にレーザ光Ｒを入射しなければならない。
【００５２】
（４）主要３点Ｒ１〜Ｒ３以外への光の散乱などの損失要因を減らすには、コーナキューブプリズム１０の入射面１１の境界部、たとえば、図２（ａ）における各入射面１１の境界線や頂点１１ａへのレーザ光Ｒの入射を防止することが望ましい。
【００５３】
このことについて、図３を参照して具体的に示す。図３（ａ）に示されるように、コーナキューブプリズム１０の入射面１１に対して、頂点１１ａを除いたドーナツ状のレーザ光Ｒを入射する。また、図３（ｂ）に示されるように、レーザ光Ｒを３つに分割して３つの入射面１１のみに入射する。なお、図３中、レーザ光Ｒが入射される部分には便宜上、斜線ハッチングを施してある。
【００５４】
これら図３（ａ）、（ｂ）に示されるレーザ光Ｒの形状は、頂点１１ａを中心とする対称形状となっていることが好ましく、また、これらの形状は、レーザ光Ｒの光源である上記レーザユニット側に、各形状に対応した遮蔽板を設けることで容易に実現することができる。
【００５５】
ところで、本実施形態によれば、入射されたレーザ光Ｒを多点に分割して出射する多点分割用光学装置１００において、レーザ光Ｒの入射側に位置する第１のレンズ部１０と出射側に位置する第２のレンズ部２０とからなり、レーザ光Ｒは、第１のレンズ部１０から入射され第２のレンズ部２０を通過して出射されるようになっており、第１のレンズ部は、入射面１１の数がレーザ光Ｒの分割数と等しいコーナキューブプリズム１０として構成されており、コーナキューブプリズム１０にレーザ光Ｒを入射したとき、コーナキューブプリズム１０から出射されるレーザ光Ｒが多点に分割されて、第２のレンズ部２０から出射されるようになっていることを特徴とする多点分割用光学装置１００を提供することができる。
【００５６】
ここで、本実施形態の多点分割用光学装置１００においては、第２のレンズ部２０は、入射面２１と出射面２２がともに凸面形状であるドラムレンズとして構成されているものとしている。
【００５７】
それによれば、第１のレンズ部としてのコーナキューブプリズム１０によって、入射されたレーザ光Ｒは多点に分割され、多点に分割されたレーザ光Ｒとして第２のレンズ部としてのドラムレンズ２０から出射される。
【００５８】
このように本光学装置１００では、２個の構成部品数によって、レーザ光Ｒの分割（ビームスプリット）と結像とを行うことができ、コーナキューブプリズム１０の入射面１１の数を変えることで分割する点の数を変えることができる。
【００５９】
そのため、本光学装置１００においては、２つのレンズ部１０、２０があれば、分割したい数が変わっても部品数に変化はなく、装置は十分に機能し、装置の構成部品は最低２個で済む。
【００６０】
また、コーナキューブプリズム１０とドラムレンズ２０の２個であり、それらは１点で接触している為、省スペースであり、両レンズ部１０、２０の間の間隔や傾きを調整する必要はほとんどない。また、これら２個のレンズ部１０、２０を同時に１個の保持具にて固定することができる。
【００６１】
このようなことから、本光学装置１００は、小型で省スペースなものとなり、構成部品間の間隔や傾きを調整する必要は、極力省くことができ、また、構成部品を固定する治具も極力少ないものにでき、耐振動性に優れたものにできる。
【００６２】
このように、本実施形態によれば、入射された光を多点に分割して出射する多点分割用光学装置１００において、小型で且つ部品点数が少なく、耐振動性に優れた構成を実現することができる。
【００６３】
また、本実施形態の多点分割用光学装置１００においては、用いられる光はレーザ光Ｒであり、多点に分割されて第２のレンズ部２０から出射されるレーザ光Ｒは、エンジンの燃焼室へ導かれて点火を行うために用いられる。
【００６４】
小型で且つ部品点数が少なく耐振動性に優れた構成を有する本実施形態の多点分割用光学装置１００は、エンジンに取り付けられるレーザ点火装置における光学系として用いて、好適であり、多点での同時点火が可能である。
【００６５】
（第２実施形態）
図４は、本発明の第２実施形態に係る多点分割用光学装置２００の概略断面図である。
【００６６】
本実施形態の多点分割用光学装置２００においても、レーザ光Ｒの入射側に位置する第１のレンズ部１０と出射側に位置する第２のレンズ部２０とからなり、第１のレンズ部は、入射面１１の数がレーザ光Ｒの分割数と等しいコーナキューブプリズム１０として構成され、コーナキューブプリズム１０にレーザ光Ｒを入射したとき、コーナキューブプリズム１０から出射されるレーザ光Ｒが多点に分割されて、第２のレンズ部２０から出射されるようになっていることは、上記第１実施形態と同様である。
【００６７】
この場合、この多点分割用光学装置２００に対するレーザ光の入射および出射の形態は、焦点距離やビーム間距離などに変化はあるものの、上記図１に示されるものと実質的に同様であり、３点分割が可能になる。それゆえ、本実施形態においても、小型で且つ部品点数が少なく、耐振動性に優れた構成を実現することができる。
【００６８】
ここにおいて、上記第１実施形態では、第２のレンズ部２０は、入射面２１と出射面２２がともに凸面形状であるドラムレンズ２０であったが、本第２実施形態では、図４に示されるように、第２のレンズ部２０は、入射面２１が凸面形状で、出射面２２が凹面形状である凹凸レンズとして構成されていることが相違する。
【００６９】
このように、第２のレンズ部２０としては、凹凸レンズであってもよい。また、本実施形態においても、コーナキューブプリズム１０によって入射されるレーザ光を分割する機能は、同じであるが、第２のレンズ部２０の面形状やレンズ長さやレンズ径などを変えることにより、出射されるレーザ光の品質や焦点の位置を変えることができる。
【００７０】
（第３実施形態）
図５は、本発明の第３実施形態に係る多点分割用光学装置３００の概略断面図である。
【００７１】
本実施形態の多点分割用光学装置３００においても、レーザ光Ｒの入射側に位置する第１のレンズ部としてのコーナキューブプリズム１０と出射側に位置する第２のレンズ部２０とからなり、コーナキューブプリズム１０にレーザ光Ｒを入射したとき、コーナキューブプリズム１０から出射されるレーザ光Ｒが多点に分割されて、第２のレンズ部２０から出射されるようになっていることは、上記実施形態と同様である。
【００７２】
それゆえ、本実施形態においても、小型で且つ部品点数が少なく、耐振動性に優れた構成を実現することができる。
【００７３】
ここにおいて、上記実施形態では、第１のレンズ部１０と第２のレンズ部２０とが別体のレンズ部材であったが、本実施形態の多点分割用光学装置３００においては、図５に示されるように、第１のレンズ部１０であるコーナキューブプリズム１０と第２のレンズ部２０とが一体に成形されたものとしている。
【００７４】
この場合、第１のレンズ部としてのコーナキューブプリズム１０によって、入射されたレーザ光は多点に分割され、多点に分割されたレーザ光は第２のレンズ部２０を通過して、その出射面２２から出射される。
【００７５】
この場合にも、この多点分割用光学装置３００に対するレーザ光の入射および出射の形態は、焦点距離やビーム間距離などに変化はあるものの、上記図１に示されるものと実質的に同様であり、３点分割が可能になる。
【００７６】
本実施形態によれば、構成部品数が実質的に１個であり、上記各実施形態に比べて、より部品点数を少なくすることができるため、より小型で耐振動性に優れた構成を実現することができる。
【００７７】
（第４実施形態）
図６は、本発明の第４実施形態に係る多点分割用光学装置４００の概略断面図である。
【００７８】
本実施形態の多点分割用光学装置４００においても、レーザ光Ｒの入射側に位置する第１のレンズ部としてのコーナキューブプリズム１０と出射側に位置する第２のレンズ部２０とからなり、コーナキューブプリズム１０にレーザ光Ｒを入射したとき、コーナキューブプリズム１０から出射されるレーザ光Ｒが多点に分割されて、第２のレンズ部２０から出射されるようになっていることは、上記実施形態と同様である。
【００７９】
それゆえ、本実施形態においても、小型で且つ部品点数が少なく、耐振動性に優れた構成を実現することができる。
【００８０】
ここにおいて、上記実施形態では、第２のレンズ部２０が１個のレンズ部材であったが、本実施形態では、図６に示されるように、第２のレンズ部２０を、光路上にて離間して直列に配置された２個のレンズ２０ａ、２０ｂからなるものとしている。
【００８１】
図６に示される例では、上記図１においてドラムレンズ２０を途中で分断した形とすることで２個のレンズ２０ａ、２０ｂを形成しており、これら２個のレンズ２０ａ、２０ｂにより、第２のレンズ部２０を構成している。
【００８２】
本実施形態のようにすれば、第２のレンズ部２０を構成する２個のレンズ２０ａ、２０ｂの間隔Ｌ３を調整することにより、出射される光のバックフォーカスＬ１（上記図１参照）を可変とすることができ、好ましい。
【００８３】
（他の実施形態）
なお、多点分割用光学装置に用いる光としてはレーザ光以外の光であってもよい。また、上記実施形態では、多点に分割されて第２のレンズ部２０から出射される光は、エンジンの燃焼室へ導かれて点火を行うために用いられるが、その用途はエンジン点火用に限定されるものではない。
【００８４】
要するに、本発明は、入射された光を多点に分割して出射する多点分割用光学装置において、光の入射側に位置する第１のレンズ部と出射側に位置する第２のレンズ部とからなり、光は、第１のレンズ部から入射され第２のレンズ部を通過して出射されるようになっており、第１のレンズ部は、入射面の数が光の分割数と等しいコーナキューブプリズムとして構成されており、コーナキューブプリズムに光を入射したとき、コーナキューブプリズムから出射される光が多点に分割されて、第２のレンズ部から出射されるようになっていることを要部とするものであり、その他の部分は、適宜設計変更が可能である。
【図面の簡単な説明】
【００８５】
【図１】本発明の第１実施形態に係る多点分割用光学装置の概略断面図である。
【図２】（ａ）は図１中のＡ矢視側面図、（ｂ）は図１中のＢ矢視側面図、（ｃ）は図１中の矢印Ｂ方向から視たときの出射されたレーザ光Ｒの焦点を示す図である。
【図３】（ａ）はレーザ光の入射形状をドーナツ状とした例を示す図、（ｂ）はレーザ光の入射形状を分割形状とした例を示す図である。
【図４】本発明の第２実施形態に係る多点分割用光学装置の概略断面図である。
【図５】本発明の第３実施形態に係る多点分割用光学装置の概略断面図である。
【図６】本発明の第４実施形態に係る多点分割用光学装置の概略断面図である。
【符号の説明】
【００８６】
１０…第１のレンズ部としてのコーナキューブプリズム、
１１…コーナキューブプリズムの入射面、１２…コーナキューブプリズムの出射面、
２０…第２のレンズ部材、２０ａ、２０ｂ…第２のレンズ部材を構成するレンズ、
２１…第２のレンズ部材の入射面、２２…第２のレンズ部材の出射面。
【図１】
2006317831.tif 000003
【図２】
2006317831.tif 000004
【図３】
2006317831.tif 000005
【図４】
2006317831.tif 000006
【図５】
2006317831.tif 000007
【図６】
2006317831.tif 000008